(57)【特許請求の範囲】
【請求項１】
カードリーダ部を有すると共に移動通信端末に接続可能である、販売者が利用する複数のクレジットカード認証端末と、前記複数のクレジットカード認証端末と接続を確立して、前記販売者から販売を受ける購入者のクレジットカードのオンライン認証を行う認証サーバと、を具備し、
前記クレジットカード認証端末は、
前記購入者が所有するクレジットカードの認証処理を実施するのに先立って、前記認証サーバとの接続を確立するため、当該クレジットカード認証端末と前記認証サーバとの接続を要求する者である前記販売者に関する識別情報を、前記カードリーダ部を介して読み取って前記移動通信端末を介して前記認証サーバに送信する手段と、
前記識別情報の送信の後に前記認証サーバとの接続が確立した場合、前記認証サーバからの要求に基づき、前記カードリーダ部を介して前記購入者のクレジットカードから読みとった認証情報を、前記移動通信端末を介して前記認証サーバに送信する手段と、を備え、
前記認証サーバは、
前記クレジットカード認証端末から受信した、前記接続を要求する者である前記販売者に関する識別情報が、前記クレジットカード認証端末を当該認証サーバに接続させることが許可された者に関する識別情報である場合、前記クレジットカード認証端末との接続を確立して、前記クレジットカード認証端末に対して認証を必要とするクレジットカードに関する情報の送信を要求する手段と、
前記要求を前記クレジットカード認証端末に前記移動通信端末を介して送信した後に、前記クレジットカード認証端末からの前記認証情報を受信した場合、カードビジネス総合ネットワークシステムを介して各カード会社のホストコンピュータにオンラインでアクセスすることにより認証結果を受信すると共に、当該認証結果を前記移動通信端末を介して前記クレジットカード認証端末へ送信するクレジットカード認証手段とを具備する
ことを特徴とするクレジットカード認証システム。
【請求項２】
前記クレジットカード認証端末は、ＩＤカードに記憶された、前記クレジットカード認証端末と前記認証サーバとの接続を要求する者に関する識別情報を、前記カードリーダ部を介して読み取って送信することで、前記認証サーバに接続の確立を要求する、請求項１に記載のクレジットカード認証システム。
【請求項３】
前記クレジットカード認証端末は、プリンタ部をさらに具備すること
を特徴とする請求項１または２に記載のクレジットカード認証システム。
【請求項４】
クレジットカードのオンライン認証を行う認証サーバとの接続を確立して、販売者から販売を受ける購入者のクレジットカードの認証を行う、前記販売者が利用するクレジットカード認証端末において、
移動通信端末に接続可能であり、カードに記憶された情報を読み出すカードリーダ部と、
前記購入者が所有するクレジットカードの認証処理を実施するのに先立って、前記認証サーバとの接続を確立するため、当該クレジットカード認証端末と前記認証サーバとの接続を要求する者である前記販売者に関する識別情報を、前記カードリーダ部を介して読み取って前記移動通信端末を介して前記認証サーバに送信する手段と、
前記認証サーバに送信した前記識別情報が、当該クレジットカード認証端末を前記認証サーバに接続させることが許可された者に関する識別情報と一致し、前記認証サーバとの接続が確立した場合、前記認証サーバからの前記移動通信端末を介して受信した要求に基づき、前記カードリーダ部を介して前記購入者のクレジットカードから読みとった認証情報を、前記移動通信端末を介して前記認証サーバに送信する手段と、
を具備することを特徴とするクレジットカード認証端末。
【請求項５】
ＩＤカードに記憶された、前記クレジットカード認証端末と前記認証サーバとの接続を要求する者に関する識別情報を、前記カードリーダ部を介して読み取って送信することで、前記認証サーバに接続の確立を要求する、請求項４に記載のクレジットカード認証端末。
【請求項６】
プリンタ部をさらに具備することを特徴とする請求項４または５に記載のクレジットカード認証端末。
【請求項７】
カードリーダ部を有すると共に移動通信端末に接続可能である、販売者が利用する複数のクレジットカード認証端末と、前記複数のクレジットカード認証端末と接続を確立して、前記販売者から販売を受ける購入者のクレジットカードのオンライン認証を行う認証サーバと、を具備するクレジットカード認証システムにおける認証サーバであって、
前記クレジットカード認証端末が前記購入者が所有するクレジットカードの認証処理を実施するのに先立って、前記カードリーダ部を介して読み取って前記移動通信端末を介して送信した、前記クレジットカード認証端末と当該認証サーバとの接続を要求する者である前記販売者に関する識別情報を受信し、受信した当該識別情報が、前記クレジットカード認証端末を当該認証サーバに接続させることが許可された者に関する識別情報である場合、前記クレジットカード認証端末との接続を確立して、前記クレジットカード認証端末に対して認証を必要とするクレジットカードに関する情報の送信を要求する手段と、
前記要求を前記クレジットカード認証端末に前記移動通信端末を介して送信した後に、前記クレジットカード認証端末からの、前記カードリーダ部を介して読み取った前記認証情報を、前記移動通信端末を介して受信した場合、カードビジネス総合ネットワークシステムを介して各カード会社のホストコンピュータにオンラインでアクセスすることにより認証結果を受信すると共に、当該認証結果を前記移動通信端末を介して前記クレジットカード認証端末へ送信するクレジットカード認証手段とを具備する
ことを特徴とする認証サーバ。
【発明の詳細な説明】
【０００１】
【発明の属する技術分野】
本発明は、簡易な移動可能な装置でクレジットカードの認証を行うことができるクレジットカード認証システム及びクレジットカード認証端末に関する。
【０００２】
【従来の技術】
クレジットカード加盟店とクレジットカード会社を接続し、クレジットカードの認証や売り上げ処理を迅速且つ安価に行うカードビジネス総合ネットワークシステムは、株式会社ＮＴＴデータのＣＡＦＩＳが代表的なものである。各クレジットカード加盟店には１台又は複数台のＣＡＴが設置されており、各ＣＡＴは公衆有線電話網を介してＣＡＦＩＳの如きカードビジネス総合ネットワークシステムに接続されている。多数のＣＡＴを有するクレジットカード加盟店などの場合には、各ＣＡＴは当該クレジットカード加盟店の中央データ処理センターに専用通信ケーブルを介して接続され、このホストコンピュータがカードビジネス総合ネットワークシステムに接続されている。
【０００３】
【発明が解決しようとする課題】
しかしながら、ＣＡＴは店舗に設置されているが、それ自体を携帯できるものではない。また、タクシー等に搭載して使用される移動可能なクレジットカード認証端末を用いてオンライン認証処理ができる無線通信網を用いたクレジットカード認証システムが提案されている（特開２０００−１１０５１号公報）。
【０００４】
しかしながら、このシステムでは、セキュリティーを高めた専用端末を用いる必要があるので、端末自体が高価であるという問題がある。
【０００５】
例えば、生命保険の営業担当や訪問販売の販売員などの営業者全員が携帯できるような簡易なシステムが要求されるが、営業担当者へのなりすまし等の問題が発生する可能性があり、セキュリティー対策の面で問題がある。
【０００６】
本発明は、このような事情に鑑み、簡易なシステムで安全性を確保することができるクレジットカード認証システム及びクレジットカード認証端末を提供することを課題とする。
【０００７】
【課題を解決するための手段】
前記課題を解決する本発明の第１の態様は、カードリーダ部を有すると共に移動通信端末に接続可能である多数のクレジットカード認証端末と、これらクレジットカード認証端末と接続を確立してクレジットカードのオンライン認証を行う認証サーバとを具備し、前記クレジットカード認証端末は、前記移動通信端末を介して前記認証サーバとの接続を確立すると共に前記カードリーダ部を介してクレジットカードから読みとった認証情報を送信する通信手段とを具備し、前記認証サーバは、前記クレジットカード認証端末からの前記認証情報を受信してカードビジネス総合ネットワークシステムを介して各カード会社のホストコンピュータにオンラインでアクセスすることにより認証結果を受信すると共に当該認証結果を前記クレジットカード認証端末へ送信するクレジットカード認証手段を具備することを特徴とするクレジットカード認証システムにある。
【０００８】
本発明の第２の態様は、第１の態様において、前記認証サーバとの接続の確立を接続者の接続権限の確認をした後に行うことを特徴とするクレジットカード認証システムにある。
【０００９】
本発明の第３の態様は、第２の態様において、前記接続者の接続権限の確認を身分証明用のＩＤカードに記憶された情報により行うことを特徴とするクレジットカード認証システムにある。
【００１０】
本発明の第４の態様は、第３の態様において、前記カードリーダ部に前記ＩＤカード及び前記クレジットカードを通すことにより当該クレジットカードの認証を行うことを特徴とするクレジットカード認証システムにある。
【００１１】
本発明の第５の態様は、第１〜４の何れかの態様において、前記クレジットカード認証端末は、プリンタ部をさらに具備することを特徴とするクレジットカード認証システムにある。
【００１２】
本発明の第６の態様は、クレジットカードのオンライン認証を行う認証サーバとの接続を確立してクレジットカードの認証を行うクレジットカード認証端末において、移動通信端末に接続可能であり、カードに記憶された情報を読み出すカードリーダ部と、前記移動通信端末を介して前記認証サーバとの接続を確立すると共に前記カードリーダ部を介してクレジットカードから読みとった認証情報を送信する通信手段とを具備することを特徴とするクレジットカード認証端末にある。
【００１３】
本発明の第７の態様は、第６の態様において、前記カードリーダ部に接続者の接続権限を確認する情報を記憶した身分証明用のＩＤカードを通すことにより、前記認証サーバとの接続を確立することを特徴とするクレジットカード認証端末にある。
【００１４】
本発明の第８の態様は、第７の態様において、前記カードリーダ部に前記ＩＤカード及び前記クレジットカードを通すことにより当該クレジットカードの認証を行うことを特徴とするクレジットカード認証端末にある。
【００１５】
本発明の第９の態様は、第６〜８の何れかの態様において、プリンタ部をさらに具備することを特徴とするクレジットカード認証端末にある。
【００１６】
かかる本発明によれば、簡易なシステムで安全性を確保することができるクレジットカード認証システム及びクレジットカード認証端末を提供することができる。
【００１７】
【発明の実施の形態】
以下、本発明を一実施形態に基づいて説明する。
【００１８】
本発明に係るクレジットカード認証システムの一実施形態の全体概略構成を図１に示す。図１に示すように、多数のカード認証端末１０は、携帯電話やＰＨＳなどの移動電話端末２０と接続され、移動電話端末２０を介して無線の公衆通信網３０を経由して中央データ処理センター４０と接続される。中央データ処理センター４０は、専用通信網を介してカードビジネス総合ネットワークシステム５０とに接続されている。カードビジネス総合ネットワークシステム５０は、株式会社ＮＴＴデータのＣＡＦＩＳが代表的なものであり、複数のカード会社５１〜５３や金融機関をオンラインで接続するものである。
【００１９】
クレジットカード認証端末１０は、各種演算と制御を行うＣＰＵ１１と、プログラムが記憶されたＲＯＭ１２と、各種データを記憶するＲＡＭ１３と、要認証クレジットカードの会員情報とカードＩＤとを読みとることができるカードリーダ１４と、料金や支払い方法などの情報を入力するための入力手段１５と、認証結果等を表示するディスプレイ１６と、利用料金等がプリントアウトされるプリンタ１７と、公衆通信網３０と接続するための送受信装置１８とを主たる構成要素として具備する。かかるカード認証端末１０は、例えば、移動電話端末２０に接続して用いられるメール端末等にカードリーダ１４とプリンタ１７を付加し、中央データ処理センター４０への認証サービスを付加することにより容易に実現できるものである。なお、プリンタ１７は、必ずしも設ける必要はなく、また、別体として接続して使用できるようにしてもよい。
【００２０】
中央データ処理センター４０は、各種演算と制御を行う中央処理装置４１と、プログラムが記憶されたプログラム記憶装置４２と、各種データを記憶するデータ記憶装置４３と、公衆通信網３０と接続すると共にカードビジネス総合ネットワークシステム５０と接続するための送受信装置４４とを主たる構成要素として具備する。
【００２１】
ここで、送受信装置４４は、正規の利用者、例えば、訪問販売の営業担当者からのアクセスのみを受付け、不正利用者からの不正なアクセスを受け付けないように、アクセスするのに所定のユーザＩＤとパスワードを要求するようにするのが好ましい。
【００２２】
一方、クレジットカード認証端末１０は、送受信装置４４との接続を確立するために、ユーザＩＤ及びパスワードを送信する必要があるが、このような接続を確立するための情報は、手入力するようにしてもよいが、これらの情報をＩＤカードなどに記憶しておいて、カードリーダ１４を介して読み込んで、自動的に送信するようにしてもよい。
【００２３】
本実施形態では、接続先の情報及び接続を確立するためのユーザＩＤ及びパスワード等の情報をＩＤカードに記憶しておき、当該ＩＤカードをカードリーダ１４に通すだけで、自動的に送受信装置４４との接続が確立されるようになっている。
【００２４】
ここで、ＩＤカードは、接続を容易に確立するために有用であるが、逆に複製等による不正使用の虞がある。従って、ＩＤカード自体を営業担当者の身分証などと兼用させることにより、不正使用の確率を低減することができる。
【００２５】
このようなクレジットカード認証システムを利用した認証の手順の一例を図２を参照しながら説明する。図２に示すように、営業担当者は、まず、自分のＩＤカードをカードリーダ１４に通す。これにより、カードリーダ１４はカード情報を読み込み、送受信装置１８は、移動電話端末２０を介して中央データ処理センター４０の送受信装置４４へカード情報を送信する。送受信装置４４は、ＩＤカード情報を受信すると（ステップＳ１１、Ｙｅｓ）、正規の利用者か否かを判断し、正規の利用者だった場合には（ステップＳ１２、Ｙｅｓ）、接続を確立し、要認証のクレジットカードの情報を要求し、クレジットカード情報の受信を待つ（ステップＳ１３）。なお、正規利用者と確認できない場合には（ステップＳ１２、Ｎｏ）、利用不能と判定する（ステップＳ１４）。
【００２６】
クレジットカード情報を受信すると（ステップＳ１３、Ｙｅｓ）、受信した要認証カードの会員情報及びカード番号から会員情報を分離し、これを所定のフォーマット化データに変換し、カードビジネス総合ネットワークシステム５０を介して特定のカード会社へ送信し（ステップＳ１５）、カード会社からの認証結果を待つ（ステップＳ１６）。カード会社からの認証結果を受信すると、要認証カードが無効カードか否かを判断し（ステップＳ１７）、無効カードと判断した場合には（ステップＳ１７、Ｙｅｓ）利用不可と判定し（ステップＳ１４）、無効カードでないと判断したときには（ステップＳ１７、Ｎｏ）、有効と判断し（ステップＳ１８）、認証する旨の情報をクレジットカード認証端末１０へ送信する（ステップＳ１９）。なお、利用金額や支払い方法等のデータの処理は通常のクレジットカードやデビットカードの処理と同一であるので、説明は省略する。
【００２７】
以上説明した実施形態によると、営業担当者は、ＩＤカードとクレジットカードをカードリーダ１４に通すことにより、中央データ処理センター４０を介してクレジットカードのオンライン認証を行うことができる。
【００２８】
ここで、クレジットカード認証端末１０は、営業担当者のＩＤカードを介して所定のサーバとして中央データ処理センター４０に接続するようにしたが、他の所定のサーバを介して中央データ処理センター４０へ間接的に接続するようにしてもよい。また、この場合、営業担当者が訪問販売の営業の場合には、発注作業等を同時に行えるようにすることもでき、また、保険の販売員の場合には、保険契約の処理をオンラインで同時に行うようにすることもできる。
【００２９】
【発明の効果】
以上説明したように、本発明によれば、簡易なシステムで安全性を確保することができるクレジットカード認証システム及びクレジットカード認証端末を提供することができるという効果を奏する。
【図面の簡単な説明】
【図１】本発明の一実施形態に係るクレジットカード認証システムの概略構成を示す図である。
【図２】本発明の一実施形態に係るクレジットカードの認証の手順を示す図である。
【符号の説明】
１０  クレジットカード認証端末
２０  移動電話端末
３０  公衆通信網
４０  中央データ処理センター
５０  カードビジネス総合ネットワークシステム（ＣＡＦＩＳ）
【図１】
0005001491.tif 000002
【図２】
0005001491.tif 000003